(57)【要約】【課題】  変圧器を変圧器架台に設置する際の作業性を向上し、また、作業の安全性を確保することが可能な、変圧器吊り用工具を提供することにある。【解決手段】  変圧器吊り用工具１００は、支持支柱２０３から連続して上方に伸び、この支持支柱２０３に対して着脱可能に設けられる吊り用支柱１１０と、この吊り用支柱１１０の上端部近傍に設けられ、吊り用支柱１１０に対して交差し、載置ベース２０１の上方領域に向かって伸びる吊り用アーム１３０とを備える。【選択図】        図１
2005203607.tif 000002
【特許請求の範囲】
【請求項１】
脚部(201a,201b)を有する載置ベース(201)と、前記載置ベース(201)から上方に伸び、変圧器を支持固定するための支持支柱(203)とを備える変圧器架台(200)に対して、着脱可能に設けられる、変圧器吊り用工具(100)であって、
当該変圧器吊り用工具は、
前記支持支柱(203)から連続して上方に伸び、前記支持支柱(203)に対して着脱可能に設けられる吊り用支柱(110)と、
前記吊り用支柱(110)の上端部近傍に設けられ、前記吊り用支柱(110)に対して交差し、前記載置ベース(201)の上方領域に向かって伸びる吊り用アーム(130)と、
を備える変圧器吊り用工具。
【発明の詳細な説明】
【技術分野】
【０００１】
この発明は、変圧器架台に対して着脱可能に設けられる、変圧器吊り用工具の構造に関する。
【背景技術】
【０００２】
屋外型の変圧器室においては、天井部分は、ネット状部材が配設されている場合が多い。そのため、変圧器は「雨ざらし」となる。また、屋外に設置される変圧器は、一般に容量が大きい大型変圧器が多いため、地面に対して「直置き」に設置される場合が多い。
【０００３】
しかし、変圧器が「雨ざらし」・「直置き」の条件下においては、変圧器の底部が湿潤状態となる。その結果、変圧器の底部に錆が発生し、局部的に錆が内部にまで進行してしまうおそれがある。このような、悪条件下の状態を放置した場合には、変圧器の性能に悪影響を与えるおそれもある。
【０００４】
そこで、変圧器の底部の湿潤状態を解消するために、屋外型の変圧器室に設置される変圧器に対して、変圧器を架台に固定することにより、変圧器の底部を地面から離して変圧器の底部の通風の改善が行なわれている。また、すでに設置された変圧器に対しても、同様の対策を施す必要がある。
【０００５】
上述したように、屋外型の変圧器室に設置される変圧器は、その容量が大型の物（５０ＫＶＡ、７５ＫＶＡ、１００ＫＶＡ、１３３ＫＶＡなど）が多く、７５ＫＶＡ以上の変圧器を用いた場合には、吊上げ可能許容荷重が３５０ｋｇのリフトを用いても吊上げることができない。また、吊下上げ可能許容荷重が３５０ｋｇのリフトの自重も８０ｋｇあるため、容易に変圧器室に搬送および搬入することができない。
【０００６】
また、建築現場に用いられような足場を利用して、変圧器室内に簡易型のリフト機構を現場において組立てて、変圧器を吊上げることも考えられる。しかし、変圧器室内には、高圧母線等保護すべき器材（接触すると危険な器材）が多くあるため、変圧器室内に簡易型のリフト機構を組立てるためには、変圧器室内を広範囲にわたって保護する必要がある。その結果、変圧器架台設置のための作業性を著しく低下させることになる。なお、変圧器を吊上げる装置を開示する文献の一例として、以下に示す特許文献１が挙げられる。
【特許文献１】特開平９−２６６１１６号公報
【発明の開示】
【発明が解決しようとする課題】
【０００７】
この発明が解決しようとする課題は、変圧器を変圧器架台に設置する際の作業性が悪く、また、作業の安全性にも問題がある点である。したがって、この発明の目的は、変圧器を変圧器架台に設置する際の作業性を向上し、また、作業の安全性を確保することが可能であり、またコンパクトな形状を有する、変圧器吊り用工具を提供することにある。
【課題を解決するための手段】
【０００８】
上記課題を解決するため、本発明に基づいた変圧器吊り用工具においては、脚部を有する載置ベースと、この載置ベースから上方に伸び、変圧器を支持固定するための支持支柱とを備える変圧器架台に対して、着脱可能に設けられる、変圧器吊り用工具であって、当該変圧器吊り用工具は、支持支柱から連続して上方に伸び、支持支柱に対して着脱可能に設けられる吊り用支柱と、吊り用支柱の上端部近傍に設けられ、吊り用支柱に対して交差し、載置ベースの上方領域に向かって伸びる吊り用アームとを備える。
【発明の効果】
【０００９】
上記構成を備える変圧器吊り用工具によれば、変圧器を支持固定する変圧器架台に対して変圧器吊り用工具が着脱可能に設けられていることから、変圧器室に搬送する際に、本変圧器吊り用工具付変圧器架台を変圧器架台と変圧器吊り用工具との分離して搬送することができる。その結果、本変圧器吊り用工具付変圧器架台の変圧器室への搬送作業の改善を図ることが可能になる。
【００１０】
また、変圧器架台の支持支柱に対して、変圧器吊り用工具を着脱可能としている。これにより、本変圧器吊り用工具付変圧器架台の設置スペース(フットプリント）は、変圧器架台の設置スペースと略同一とみなせることからコンパクト化が図られ、また、接触すべきでない機器の多い変圧器室内においても、安全に変圧器を吊上げ、吊上げた状態のままで、変圧器架台に固定作業を行なうことができる。その結果、変圧器を変圧器架台に設置する際に、その作業性を向上させることが可能となる。
【００１１】
また、上記吊り用支柱を、たとえば、上記支持支柱に対して着脱可能に設けられる第１吊り用支柱と、先端部近傍に上記吊り用アームが設けられ、上記第１吊り用支柱との間において、上記吊り用支柱の軸方向長さを可変可能なように連結される第２吊り用支柱とを有する構成にすることで、変圧器内の上方に配設される高圧母線に接触しないように、吊り用支柱の長さを適宜調節することが可能となる。
【発明を実施するための最良の形態】
【００１２】
以下、この発明に基づく実施の形態における変圧器吊り用工具付変圧器架台１０００の構成について、図１から図８を参照して説明する。なお、図１は、本実施の形態における変圧器吊り用工具付変圧器架台１０００の全体構成を示す側面図であり、図２は変圧器架台２００の全体構成を示す斜視図であり、図３は図１中ＩＩＩ線矢視断面図であり、図４は変圧器架台２００の平面図であり、図５は図１中Ｖ矢視図であり、図６は図１中ＶＩ矢視図であり、図７は図１中ＶＩＩ−ＶＩＩ線矢視断面図であり、図８は変圧器吊り用工具付変圧器架台１０００の使用状態を示す側面図である。
【００１３】
［変圧器吊り用工具付変圧器架台１０００の全体構成］
図１および図２を参照して、変圧器吊り用工具付変圧器架台１０００の全体構成について説明する。この変圧器吊り用工具付変圧器架台１０００は、変圧器を吊り上げる際に用いられる変圧器吊り用工具１００と、変圧器を支持固定するための変圧器架台２００とを有している。
【００１４】
（変圧器架台２００）
図１および図２を参照して、この変圧器架台２００は、二股に分かれ開脚状態に配置される脚部２０１ａ，２０１ｂを有する載置ベース２０１と、この載置ベース２０１の後部において上方に伸び、変圧器を支持固定するための支持支柱２０３とを備えている。載置ベース２０１と支持支柱２０３の根元とには、三角形状の補強リブ２０４，２０５が設けられている。各部材は、溶接等により強固に接続されている。本実施の形態における支持支柱２０３の高さは、約１０００ｍｍ程度である。
【００１５】
脚部２０１ａ，２０１ｂの先端部分には、本変圧器架台２００を固定するためのアンカボルト等を取付けるためのボルト孔２０６ａ，２０７ａを有する固定プレート２０６，２０７が設けられ、同様に支持支柱２０３の下方の脚部２０１ａ，２０１ｂにも、ボルト孔２０８ａ，２０９ａを有する固定プレート２０８，２０９が設けられている。ボルト孔２０６ａ〜２０９ａには、それぞれ設置の容易性を考慮して、長孔が採用されている。
【００１６】
支持支柱２０３の所定高さ位置には、変圧器を載置するためのベース２１０が取付けられ、また、変圧器を支持支柱２０３に固定するための取付孔２１２，２１３が配設されている。
【００１７】
（変圧器吊り用工具１００）
次に、図１、図３〜図６を参照して、変圧器吊り用工具１００は、変圧器架台２００の支持支柱２０３の背面側において重ね合わせられるように配設され、支持支柱２０３から連続して上方に伸び、この支持支柱２０３に対して着脱可能に設けられる吊り用支柱１１０と、この吊り用支柱１１０の上端部近傍に設けられ、吊り用支柱１１０に対して交差し、載置ベース２０１の上方領域に向かって伸びる吊り用アーム１３０とを備えている。
【００１８】
吊り用支柱１１０は、支持支柱２０３に対して着脱可能に設けられる第１吊り用支柱１１０ａと、先端部近傍に吊り用アーム１３０が設けられ、第１吊り用支柱１１０ａとの間において、吊り用支柱１１０の軸方向長さをスライド可変可能なように連結される第２吊り用支柱１１０ｂとから構成されている。
【００１９】
本実施の形態において、吊り用支柱１１０の第１吊り用支柱１１０ａには、みぞ形鋼（１００×５０×ｔ５−１６００ｍｍ）が用いられ、吊り用支柱１１０の第２吊り用支柱１１０ｂには、みぞ形鋼（７５×４０×ｔ５−７００ｍｍ）が用いられている。図１および図３に示すように、第１吊り用支柱１１０ａと第２吊り用支柱１１０ｂとの重ね合わせ領域においては、第１吊り用支柱１１０ａには、縦方向に複数設けられた開口孔１１７が設けられ、第２吊り用支柱１１０ｂには、開口孔１１７と同ピッチで設けられたナット１２１が設けられている。第１吊り用支柱１１０ａに対する第２吊り用支柱１１０ｂの取付け高さ位置を調節した後、ボルト（六角ボルトＭ１６×３０）１１８により、第１吊り用支柱１１０ａと第２吊り用支柱１１０ｂとの間の締付け固定を行なう。その結果、吊り用支柱１１０の高さは、１８００ｍｍ〜２２００ｍｍ（スライド長さ４００ｍｍ）の間で、段階的に高さ調節を行なうことを可能としている。
【００２０】
第１吊り用支柱１１０ａの先端部近傍に固定される吊り用アーム１３０は、第１吊り用支柱１１０ａを覆うように設けられるベース１３２と、支持用アーム１３１とを有している。ベース１３２には、みぞ形鋼（１００×５０×ｔ５−２００ｍｍ）が用いられ、支持用アーム１３１には、角形鋼（７５×ｔ３．２−６００ｍｍ）が用いられ、ベース１３２と支持用アーム１３１との間には、リブ１３３が複数設けられている。また、支持用アーム１３１には、変圧器を吊上げる際に用いられるシメラ（張線機）を吊下げるための吊下孔１３４ａが設けられた補強プレート１３４が所定位置に取付けられている。なお、各部材は、溶接等により強固に接続されている。ベース１３２は、ボルト１３５（Ｍ１６×１２０）およびナット１３６を用いて、第１吊り用支柱１１０ａに締付固定されている。
【００２１】
支持用アーム１３１は、変圧器を吊上げた際の下方への「撓み」を考慮して、図１に示すように、あらかじめ水平方向に対して上方に向けて傾く（角度θ）ように取付けられている。
【００２２】
また、図５および図６に示すように、第１吊り用支柱１１０ａの支持支柱２０３に重ね合わせられる領域において、固定ナット２２２，２２３に対応する位置には、変圧器を支持支柱２０３に固定する際の作業性を考慮して、作業用孔１１１ａ（φ５０ｍｍ）および作業用孔１１２ａ（φ５０ｍｍ）が設けられている。なお、作業用孔の開口に伴い、第１吊り用支柱１１０ａの強度補強のため、補強板１１１（ｔ６×１００×１６０）および補強板１１２（ｔ６×１００×１００）が設けられている。このように、あらかじめ、第１吊り用支柱１１０ａに作業用孔１１１ａ，１１２ａを設けておくことで、支持支柱２０３に第１吊り用支柱１１０ａが重ね合わされた場合であっても、変圧器のボルト２２１を用いた支持支柱２０３へ取付け作業を妨げることはない。
【００２３】
図１および図７を参照して、支持支柱２０３への第１吊り用支柱１１０ａの固定には、第１吊り用支柱１１０ａにあらかじめ設けられたナット受け１１３と、断面形状がコの字形状の固定金具１１４とを用いて、第１吊り用支柱１１０ａのみぞＭの内部に支持支柱２０３を収容するようにして、固定金具１１４により支持支柱２０３と第１吊り用支柱１１０ａとを、ボルト１１５およびナット１１６を用いて挟み込む。固定金具１１４およびナット受け１１３は、高さ方向において異なる３箇所位置に設けられる。
【００２４】
ここで、支持支柱２０３に変圧器を固定した後は、支持支柱２０３から第１吊り用支柱１１０ａを取り外す必要性があることから、固定金具１１４の着脱容易性を考慮して、図７に示す固定金具１１４の幅Ｗは、なるべく小さいほうが好ましい。
【００２５】
以上、上記構成からなる変圧器吊り用工具付変圧器架台１０００を用いた変圧器吊り上げ作業においては、図８に示すように、既設された変圧器に対して、本変圧器吊り用工具付変圧器架台１０００を組立て設置する。その後、シメラ（張線機）を吊下孔１３４ａに吊下げて、変圧器４００を所定高さまでに吊上げる。その後、この状態を維持したまま、ボルト２２１を用いて、支持支柱２０３に変圧器４００を支持固定する。その後、シメラ（張線機）３００による吊上げを開放し、支持支柱２０３から、吊り用支柱１１０を取り外す。
【００２６】
このようにして、本実施の形態における変圧器吊り用工具付変圧器架台１０００によれば、変圧器４００を支持固定する変圧器架台２００に対して変圧器吊り用工具１００が着脱可能に設けられていることから、変圧器室に搬送する際に、本変圧器吊り用工具付変圧器架台１０００を変圧器架台２００と変圧器吊り用工具１００との分離して搬送することができる。
【００２７】
また、変圧器架台２００の支持支柱２０３に対して、変圧器吊り用工具１００を着脱可能としていることから、安全に変圧器４００を吊上げ、吊上げた状態のままで、変圧器架台２００に固定作業を行なうことができる。
【００２８】
また、吊り用支柱１１０を、支持支柱２０３に対して着脱可能に設けられる第１吊り用支柱１１０ａと、第２吊り用支柱１１０ｂとの構成にすることで、変圧器室内の上方に配設される高圧母線に接触しないように、吊り用支柱１１０の長さを適宜調節することが可能となる。
【００２９】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３０】
【図１】本実施の形態における変圧器吊り用工具付変圧器架台の全体構成を示す側面図である。
【図２】本実施の形態における変圧器架台の全体構成を示す斜視図である。
【図３】図１中ＩＩＩ線矢視断面図である。
【図４】本実施の形態における変圧器架台の平面図である。
【図５】図１中Ｖ矢視図である。
【図６】図１中ＶＩ矢視図である。
【図７】図１中ＶＩＩ−ＶＩＩ線矢視断面図である。
【図８】本実施の形態における変圧器吊り用工具付変圧器架台の使用状態を示す側面図である。
【符号の説明】
【００３１】
１００  変圧器吊り用工具、１１０  吊り用支柱、１１０ａ  第１吊り用支柱、１１０ｂ  第２吊り用支柱、１１１，１１２  補強板、１１１ａ，１１２ａ  作業用孔、１１３  ナット受け、１１４  固定金具、１１５  ボルト、１１６  ナット、１１７  開口孔、１１８  ボルト、１２１  ナット、１３０  吊り用アーム、１３１  支持用アーム、１３２  ベース、１３３  リブ、１３４  補強プレート、１３４ａ  吊下孔、１３５  ボルト、１３６  ナット、２００  変圧器架台、２０１  載置ベース、２０１ａ，２０１ｂ  脚部、２０３  支持支柱、２０４，２０５  補強リブ、２０６，２０７，２０８，２０９  固定プレート、２０６ａ，２０７ａ，２０８ａ，２０９ａ  ボルト孔、２１２，２１３  取付孔、２２２，２２３  固定ナット、３００  シメラ（張線機）、４００  変圧器、１０００  変圧器吊り用工具付変圧器架台。
【図１】
2005203607.tif 000003
【図２】
2005203607.tif 000004
【図３】
2005203607.tif 000005
【図４】
2005203607.tif 000006
【図５】
2005203607.tif 000007
【図６】
2005203607.tif 000008
【図７】
2005203607.tif 000009
【図８】
2005203607.tif 000010